(57)【特許請求の範囲】
【請求項１】
異なるコード番号が付与された複数種類の建築物の外構構造パターンの中から、特定の外構構造パターンを検索するために使用するコード票であって、
敷地内における車のガレージ数、及び、それらのガレージが解放型のオープンタイプかシャッターなどで隠されたクローズタイプかによって識別されるガレージの種類が複数のタイプに分類されて表示されるとともに、各タイプに対応して夫々異なる部分コード番号が表示されたガレージ仕様表示欄と、
敷地内におけるガレージの配置場所及び敷地外から建築物の玄関までの経路が複数のタイプに分類されて表示されるとともに、各タイプに対応して夫々異なる部分コード番号が表示されたガレージ・アプローチ/ポジション表示欄と、
複数台分のガレージの配置方法が複数のタイプに分類されて表示されるとともに、各タイプに対応して夫々異なる部分コード番号が表示されたガレージタイプ表示欄と、
敷地内における門柱や門扉等の有無といった外構仕様が複数のタイプに分類されて表示されるとともに、各タイプに対応して夫々異なる部分コード番号が表示された外構仕様表示欄とを備え、
これらガレージ仕様表示欄、ガレージ・アプローチ/ポジション表示欄、ガレージタイプ表示欄と外構仕様表示欄が左から右へ順に並べて配置されて、
各表示欄毎に１つの部分コード番号を選択して一連のコード番号とすることで、その一連のコード番号に合致するコード番号が付与された外構構造パターンを検索できるようにしたことを特徴とするコード票。
【発明の詳細な説明】
【０００１】
【発明の属する技術分野】
本発明は、異なるコード番号が付与された複数種類の建築物の外構構造パターンの中から、ユーザーのイメージに合った外構構造パターンを検索するために使用するコード票に関する。
【０００２】
【従来の技術】
一般に、一戸建住宅等の外構構造プランの作成は、ユーザーの要望を加味しながら建物やその敷地の形状、大きさ等に合わせて行われている。この場合、ユーザーに設計者や工事請負業者等を交えて打ち合わせを行うことになるが、ユーザーには外構についての知識がないことが多く、話し合いだけではなかなか意思の疎通が図れないことがある。そこで、従来においては、ユーザーからある程度の要望を聞き出し、また建物や敷地の形状、大きさ等を考慮して、それらに合う外構図面、カタログや写真等の資料を用意し、その中からユーザーのイメージに合ったものを選んでもらって、それを基に両者の意思の疎通を図りながら外構構造プランを作成していた。
【０００３】
【発明が解決しようとする課題】
しかしながら、多種多様な外構構造が存在することから資料の数も膨大で、しかもその資料を分類するための基準もはっきりしていなかったため、ユーザーの要望を聞き出してから、それに合う資料を用意するといった事務処理が煩雑で多くの時間を要し、しかもこれらの資料の中からユーザーのイメージに合ったものを選んでもらう際にも、多くの時間を要していた。従って、外構構造プランの作成には、多大な労力を要し、非常に効率が悪かった。
【０００４】
本発明は、上記に鑑み、複数種類の外構構造パターンの中から、ユーザーのイメージに合った外構構造パターンを素早くかつ的確に検索して、外構構造プラン作成を効率良く行うことができるコード票の提供を目的とする。
【０００５】
【課題を解決するための手段】
上記課題を解決するため、まず、この発明では、異なるコード番号が付与された複数種類の建築物の外構構造パターンの中から、特定の外構構造パターンを検索するために使用するコード票であって、
敷地内における車のガレージ数、及び、それらのガレージが解放型のオープンタイプかシャッターなどで隠されたクローズタイプかによって識別されるガレージの種類が複数のタイプに分類されて表示されるとともに、各タイプに対応して夫々異なる部分コード番号が表示されたガレージ仕様表示欄と、
敷地内におけるガレージの配置場所及び敷地外から建築物の玄関までの経路が複数のタイプに分類されて表示されるとともに、各タイプに対応して夫々異なる部分コード番号が表示されたガレージ・アプローチ/ポジション表示欄と、
複数台分のガレージの配置方法が複数のタイプに分類されて表示されるとともに、各タイプに対応して夫々異なる部分コード番号が表示されたガレージタイプ表示欄と、
敷地内における門柱や門扉等の有無といった外構仕様が複数のタイプに分類されて表示されるとともに、各タイプに対応して夫々異なる部分コード番号が表示された外構仕様表示欄とを備えている。
【０００６】
そして、これらガレージ仕様表示欄、ガレージ・アプローチ/ポジション表示欄、ガレージタイプ表示欄と外構仕様表示欄が左から右へ順に並べて配置されて、各表示欄毎に１つの部分コード番号を選択して一連のコード番号とすることで、その一連のコード番号に合致するコード番号が付与された外構構造パターンを検索できるようにしたなることを特徴とするものである。
【０００７】
【発明の実施の形態】
以下、本発明の実施形態を図面に基づいて詳細に説明する。図２及び図３は、建物の外構図が描かれたシートの一例を示しており、この他にも車のガレージや敷地外から玄関までの経路といった外構構造を構成する各要素が異なる複数種類のパターンのものが用意されている。
【０００８】
これら各シートは、実際の外構を１００分の１に縮小した外構の平面図(１)が描かれた平面プラン用（図２参照）と、同様に立面図(２)が描かれた立面プラン用（図３参照）とが２枚１組でセットされたものであり、ともにＡ４サイズの大きさの白焼きコピー用紙とＯＨＰ用紙の２種類が用意されている。ＯＨＰ用紙の場合には、専用のペンでの書き込み、或いは専用の修正ペンでの消去が可能となっており、立面プラン用のＯＨＰ用紙の裏側に別に用意した建物の立面図を重ねてコピーすることで、外構の立面図と建物の立面図とを合成することができる。また、平面プラン用のシートに描かれた縦線及び横線によって構成される方眼(３)は、そこに描かれた外構や建物の大きさを簡単に把握できるようにするものであって、方眼(３)の１つの枠(４)の大きさは基準寸法に対応した大きさに設定されている。
【０００９】
なお、各シートは、平面プラン用と立面プラン用とが２枚１組でセットされたものに限らず、図４に示すように、Ａ４サイズの大きさの１枚の用紙に、外構の平面図(１)と立面図(２)を描いたものであっても良い。
【００１０】
そして、複数種類の各シートには、そこに描かれた外構構造の各要素に準じて付与されたコード番号が記載されている。これらコード番号は夫々異なるもので、例えば、図２,３に示すシートの場合には、「ＯＰ-２０３ＬＴＰ２１」というコード番号が付与されている。
【００１１】
図１は、複数種類の外構構造パターンすなわち複数種類のシートの中から、特定のシートを検索するためのコード票を示しており、外構構造を構成する各要素が各表示欄に列記されている。図において、(５)はガレージ仕様表示欄であって、敷地内における車のガレージ数及びガレージの種類が複数のタイプに分類されて表示されるとともに、各タイプに対応して夫々異なる部分コード番号が付与されて表示されている。例えば、敷地内に開放した状態で配置されているオープンガレージが２台の場合には、その部分コード番号が「ＯＰ-２０」のように表示され、オープンガレージが１台、敷地内にシャッター等で隠れた状態となっているクローズガレージが１台の場合には、その部分コード番号が「ＯＢ-１１」のように表示され、クローズガレージが２台の場合には、その部分コード番号が「ＢＸ-０２」のように表示されている。
【００１２】
(６)はガレージ・アプローチ/ポジション表示欄であって、敷地内におけるガレージの配置場所及び敷地外から建物の玄関までの経路が複数のタイプに分類されて図示されるとともに、各タイプに対応して夫々異なる部分コード番号が付与されて表示されている。なお、建物の玄関までの経路としては、ガレージを通って玄関に至る経路と、ガレージを通らずに玄関に至る経路の２通りがあり、図示された矢印がガレージを表す小さな枠内を通っていれば前者であり、通っていなければ後者である。例えば、敷地内の左隅に位置するガレージを通らずに真っ直ぐに玄関に至る場合には、その部分コード番号が「３Ｌ」のように表示され、敷地内の右隅に位置するガレージを通って玄関に至る場合には、その部分コード番号が「６Ｒ」のように表示されている。
【００１３】
(７)はガレージタイプ表示欄であって、複数台分のガレージの配置方法が複数のタイプに分類されて図示されるとともに、各タイプに対応して夫々異なる部分コード番号が付与されて表示されている。例えば、２台分のガレージが直列に配置されているＴタイプの場合には、その部分コード番号が「Ｔ」のように表示され、２台分のガレージが並列に配置されているＷタイプの場合には、その部分コード番号が「Ｗ」のように表示され、２台分のガレージが分かれているＳタイプの場合には、その部分コード番号が「Ｓ」のように表示されている。
【００１４】
(８)は外構仕様表示欄で、敷地内における門柱や門扉等の有無といった外構仕様が複数のタイプに分類されて表示されるとともに、各タイプに対応して夫々異なる部分コード番号が付与されて表示されている。例えば、敷地内において門柱や門扉、高い塀や囲いを持たないオープンタイプの場合には、その部分コード番号が「Ｐ」のように表示され、これとは逆のクローズタイプの場合には、その部分コード番号が「Ｃ」のように表示されている。
【００１５】
そして、図のように左から右へ順に並べて配置された、これらガレージ仕様表示欄、ガレージ・アプローチ/ポジション表示欄、ガレージタイプ表示欄と外構仕様表示欄から、左から各表示欄毎に１つの部分コード番号を選択して一連のコード番号とすることで、その一連のコード番号に合致するコード番号が記載されたシートを検索できるようになっている。例えば、オープンガレージが２台で、敷地内の左隅に位置するガレージを通らずに真っ直ぐに玄関に至り、さらにその２台分のガレージが直列に配置されていて、外構仕様がオープンタイプの外構構造を希望する場合には、各タイプに該当する部分コード番号「ＯＰ-２０」、「３Ｌ」、「Ｔ」、「Ｐ」を夫々選択して、これらを並べて一連のコード番号「ＯＰ-２０３ＬＴＰ」とし、このコード番号と合致するコード番号が記載されたシート（図２,３に示す上記したシート）が検索されることになる。なお、図２,３に示すシートの実際のコード番号には、右端に２桁の数字が付加されているが、この数字は設計者側や請負業者側のみで用いる整理番号であって、コード票に記載された部分コード番号とは無関係なものである。
【００１６】
従って、予め設計者或いは請負業者側で、このように異なるコード番号が記載された複数種類のシートを用意しておき、ユーザーは、敷地や建物の形状や大きさ、敷地の高低差等を考慮するとともに、自分の感性に合うような外構構造となるようにコード票の各表示欄の中から適当なものを選び、これによって得られた一連のコード番号を設計者や請負業者に知らせるようにすることで、設計者や請負業者はユーザーの要望、イメージに合った外構構造が描かれたシートをすぐに選び出してユーザーに提供することができる。
【００１７】
そして、ユーザーは、このシートを使用して、例えば敷地の大きさに合わせて不要な部分を削除したり、平面プラン用シートに建物の平面プランを書き込んだりして、最終的に立面プラン用シートに建物の立面図(10)を張り付けて仕上げ、外構構造プランを含めた建物のプラン作成の参考資料としたり、外構を含めた外観を検証するために用いたりする。なお、図５はシートの仕上がり状態の一例を示している。またこの段階で、シートを基にして専門家である設計者や請負業者とともに意思の疎通を図りながら外構構造プランを作成するようにしても良い。
【００１８】
なお、本発明は上記実施形態に限定されるものではなく、本発明の範囲内で上記実施形態に多くの修正及び変更を加え得ることは勿論である。例えば、コード票に表示される外構構造を構成する要素は、本実施形態におけるコード票の各表示欄に列記されたものに限らず、裏庭や通用口の配置、敷地の形状等を含めるようにしてもよい。また、コード票の表示欄に建物の種類や間取り等の欄を加えて、これらのタイプも選択できるようにし、シートにも図６,７に示すように建物の平面図(11)や立面図(10)を合わせて描いておくと、基本的な参考パターンではあるが、建物を含めたトータル的なパターンをすぐに入手できるようになる。
【００１９】
さらに、シートを用いる代わりに、複数種類のコード番号付きの外構構造パターンを画像情報として記憶したＣＤ-ＲＯＭ等の記録媒体を使用して、この記録媒体に記憶された画像情報をパーソナルコンピュータ等に読み込ませ、ユーザーがコード票を用いて選び出したコード番号をパーソナルコンピュータ等の入力装置から入力することによって、そのコード番号が付与された画像情報を表示画面に表示して、表示画面上で画像情報の操作を行うようにしても良い。また、コード番号が付与された画像情報を、インターネット等を介して設計者や工事請負業側等のコンピュータからユーザー側のパーソナルコンピュータ等にダウンロードするようにしても良い。
【００２０】
【発明の効果】
以上の説明から明らかなように、本発明のコード票を使用すれば、外構構造を構成する各要素が複数のタイプに分類、コード化されているので、ユーザーに外構についての知識がなくても、ユーザーは各要素すなわちコード票に記載の各表示欄の中から適当なタイプの部分コード番号を簡単に選ぶことができ、それら部分コード番号を一連のコード番号として設計者や工事請負業者に知らせるだけで、設計者や工事請負業者はこのコード番号を基に複数種類の外構構造パターンの中からユーザーのイメージに合った外構構造パターンを素早く、的確に検索することができる。従って、外構構造プラン作成に要する時間及び労力を軽減でき、外構構造プラン作成を効率良く行うことができるといった効果がある。
【図面の簡単な説明】
【図１】本発明の一実施形態のコード票を示す図である。
【図２】平面プラン用のシートを示す図である。
【図３】立面プラン用のシートを示す図である。
【図４】外構の平面図と立面図が描かれたシートを示す図である。
【図５】立面プラン用シートに建物の立面図を張り付けたシートの仕上がり状態を示す図である。
【図６】外構の平面図とともに建物の平面図が描かれたシートを示す図である。
【図７】外構の立面図とともに建物の立面図が描かれたシートを示す図である。
【符号の説明】
(５)  ガレージ仕様表示欄
(６)  ガレージ・アプローチ/ポジション表示欄
(７)  ガレージタイプ表示欄
(８)  外構仕様表示欄
【図１】
0003659375.tif 000002
【図２】
0003659375.tif 000003
【図３】
0003659375.tif 000004
【図４】
0003659375.tif 000005
【図５】
0003659375.tif 000006
【図６】
0003659375.tif 000007
【図７】
0003659375.tif 000008